(57)【要約】【課題】円筒形電池の充電状態を全てのユーザーに判りやすく明確に表示する。円筒形電池の表面を広い面積で発光して充電状態を明確に表示する。【解決手段】充電器は、充電できる複数の円筒形電池３を平行に並べて脱着できるようにセットする電池ポケット２を設けてなるケース１と、このケース１に内蔵されて、電池ポケット２にセットされる電池を充電する充電回路１０と、電池ポケット２にセットしている電池の充電状態を検出して、電池の充電状態を光の発光状態で表示する充電状態の表示器４とを備えている。表示器４は、電池ポケット２の端部に配置されて、隣接して平行に配置される円筒形電池３の間から円筒形電池３の表面に長手方向に光を照射する光源６を備えている。充電器は、この光源６が、隣接する円筒形電池３の表面を発光させて、電池ポケット２にセットしている円筒形電池３の充電状態を表示する。【選択図】図５
2011036052.tif 000002
【特許請求の範囲】
【請求項１】
充電できる複数の円筒形電池(3)を平行に並べて脱着できるようにセットする電池ポケット(2)を設けてなるケース(1)と、このケース(1)に内蔵されて前記電池ポケット(2)にセットされる電池を充電する充電回路(10)と、前記電池ポケット(2)にセットしている電池の充電状態を検出して、電池の充電状態を光の発光状態で表示する充電状態の表示器(4)とを備える充電器であって、
前記表示器(4)が、電池ポケット(2)の端部に配置されて、隣接して平行に配置される円筒形電池(3)の間から円筒形電池(3)の表面に長手方向に光を照射する光源(6)を備え、この光源(6)が隣接する円筒形電池(3)の表面を発光させて、電池ポケット(2)にセットしている円筒形電池(3)の充電状態を表示するようにしてなる充電器。
【請求項２】
前記表示器(4)が、光源(6)と円筒形電池(3)との間であって、電池ポケット(2)の内面に脱着できるように連結してなる変色交換フィルター(7)を備え、この変色交換フィルター(7)は、着色された透光性のプレートで、前記光源(6)の光が、変色交換フィルター(7)を透過して円筒形電池(3)の表面を光源(6)と異なる色に照射するようにしてなる請求項１に記載される充電器。
【請求項３】
前記表示器(4)が、異なる色に着色されてなる複数の変色交換フィルター(7)を備え、変色交換フィルター(7)を交換して、円筒形電池(3)の表面を異なる色に発光させるようにしてなる請求項２に記載される充電器。
【請求項４】
前記変色交換フィルター(7)が、赤色と、緑色と、青色に着色してなる透光性のプレートである請求項３に記載される充電器。
【請求項５】
前記表示器(4)が、電池ポケット(2)に円筒形電池(3)がセットされるとカウントを開始するタイマ(16)と、このタイマ(16)で光源(6)の発光強度をノーマル状態と、このノーマル状態よりも発光強度を低くする低照度状態とに切り換えるコントロール回路(15)とを備えており、
前記コントロール回路(15)が、電池ポケット(2)に円筒形電池(3)がセットされる状態で前記光源(6)をノーマル状態に発光し、タイマ(16)がタイムアップされる状態では光源(6)を低照度状態に切り換えるようにしてなる請求項１ないし４のいずれかに記載される充電器。
【請求項６】
前記円筒形電池(3)が単３電池(3A)である請求項１ないし５のいずれかに記載される充電器。
【請求項７】
前記円筒形電池(3)が単３電池(3A)と単４電池(3B)である請求項１ないし５のいずれかに記載される充電器。
【発明の詳細な説明】
【技術分野】
【０００１】
本発明は複数の円筒形電池を脱着自在にセットして充電する充電器に関し、とくに、円筒形電池の充電状態を光で表示する充電器に関する。
【背景技術】
【０００２】
ケースの表面に電池ポケットを設けて、電池ポケットにセットしている電池の充電状態を光で表示する充電器は開発されている。（特許文献１参照）
この充電器は、ケースに貫通孔や透光部を設けて、その内側にパイロットランプを配置し、パイロットランプの光を、ケースを貫通して外部に照射して、電池の充電状態を表示している。
【先行技術文献】
【特許文献】
【０００３】
【特許文献１】特開２００６−７４８６０号公報
【発明の開示】
【発明が解決しようとする課題】
【０００４】
以上の充電器は、電池から離れた部分に設けているパイロットランプを点灯して、充電状態を表示するので、パイロットランプの点灯状態をユーザーが見て、電池の充電状態を表示しているのか、あるいは充電器が動作状態にあって、電池を充電できる状態にあるのかを判りやすく表示できない欠点がある。また、ケースの貫通孔や透光部の内部に設けたＬＥＤ等を利用したパイロットランプを点灯して表示するので、発光面積が極めて小さく、ユーザーに明瞭に判りやすく充電状態を表示できない欠点がある。ユーザーに判りやすく表示するために、パイロットランプの照度を強くすると、小さい面積が強く発光して眩しくなり、また、眩しくないように発光強度を低くすると、明確に表示できない欠点があった。
【０００５】
本発明は、以上の欠点を解決することを目的に開発されたものである。本発明の重要な目的は、円筒形電池の充電状態を全てのユーザーに判りやすく明確に表示できる充電器を提供することにある。
さらに本発明の他の大切な目的は、小さい面積を強く発光して眩しく表示するのでなく、円筒形電池の表面を広い面積で発光することで、充電している円筒形電池の表面を発光して充電状態を明確に表示できる充電器を提供することにある。
【課題を解決するための手段及び発明の効果】
【０００６】
本発明の充電器は、充電できる複数の円筒形電池３を平行に並べて脱着できるようにセットする電池ポケット２を設けてなるケース１と、このケース１に内蔵されて、電池ポケット２にセットされる電池を充電する充電回路１０と、電池ポケット２にセットしている電池の充電状態を検出して、電池の充電状態を光の発光状態で表示する充電状態の表示器４とを備えている。表示器４は、電池ポケット２の端部に配置されて、隣接して平行に配置される円筒形電池３の間から円筒形電池３の表面に長手方向に光を照射する光源６を備えている。充電器は、この光源６が、隣接する円筒形電池３の表面を発光させて、電池ポケット２にセットしている円筒形電池３の充電状態を表示する。
【０００７】
以上の充電器は、円筒形電池の充電状態を全てのユーザーに判りやすく明確に表示できる特徴がある。それは、以上の充電器が、従来のように電池から離れた位置にあるＬＥＤ等を利用したパイロットランプを発光させて電池の充電状態を表示するのではなく、充電している円筒形電池の表面を発光させて充電状態を表示するからである。
【０００８】
さらに以上の充電器は、パイロットランプのように小さい面積を強く発光して電池の充電状態を表示するのではなく、充電している円筒形電池の表面を広い面積で発光して充電状態を表示するので、眩しく発光させることなく、円筒形電池の充電状態を明確に表示できる特徴がある。
【０００９】
本発明の充電器は、表示器４が、光源６と円筒形電池３との間であって、電池ポケット２の内面に脱着できるように連結してなる変色交換フィルター７を備えることができる。さらに、充電器は、この変色交換フィルター７を着色された透光性のプレートとして、光源６の光を変色交換フィルター７に透過させて、円筒形電池３の表面を光源６と異なる色に照射することができる。
以上の充電器は、電池ポケットの内面に変色交換フィルターを装着して、極めて簡単に、円筒形電池の表面を、光源の光と異なる色に照射して円筒形電池の充電状態を表示できる特徴がある。
【００１０】
さらに、本発明の充電器は、表示器４が、異なる色に着色されてなる複数の変色交換フィルター７を備えて、変色交換フィルター７を交換して、円筒形電池３の表面を異なる色に発光させることができる。
以上の充電器は、ユーザーが変色交換フィルターを交換して、自分の好む発光色で円筒形電池の充電状態を表示できる特徴がある。また、充電器にセットする円筒形電池の表面色に最適な色に発光させて、充電している円筒形電池の充電状態を明確に表示できる特徴がある。
【００１１】
さらに、本発明の充電器は、変色交換フィルター７を、赤色と、緑色と、青色に着色してなる透光性のプレートとすることができる。
とくに、この充電器は、ユーザーが赤色と緑色と青色の好ましい色を選択して、充電している円筒形電池の充電状態を表示できる特徴がある。
【００１２】
本発明の充電器は、表示器４が、電池ポケット２に円筒形電池３がセットされるとカウントを開始するタイマ１６と、このタイマ１６で光源６の発光強度をノーマル状態と、このノーマル状態よりも発光強度を低くする低照度状態とに切り換えるコントロール回路１５とを備えて、コントロール回路１５が、電池ポケット２に円筒形電池３がセットされる状態で光源６をノーマル状態に発光し、タイマ１６がタイムアップされる状態では光源６を低照度状態に切り換えることができる。
以上の充電器は、円筒形電池の充電を開始するときにはノーマル状態として明確に充電状態を表示し、その後は、低照度状態に切り換えて電池の充電状態を表示するので、夜間に電池の充電状態を明確に表示しながら、明る過ぎて就寝の邪魔になるように室内を照射することがない。また、省電力でもある。
【００１３】
本発明の充電器は、円筒形電池３を単３電池３Ａとすることができる。
以上の充電器は、電池ポケットにセットされる単３電池の表面を発光して、充電状態を判りやすく表示できる。
【００１４】
本発明の充電器は、円筒形電池３を単３電池３Ａと単４電池３Ｂとすることができる。
以上の充電器は、電池ポケットにセットされる単３電池と単４電池の両方を充電しながら、単３電池と単４電池の充電状態を明確に表示できる特徴がある。とくに、以上の充電器は、単３電池から細い単４電池に交換しても、同じ表示器で電池の表面を照射して明確に充電状態を表示できる。それは、単３電池の長手方向に光を照射して、充電状態を表示するので、単３電池よりも細い単４電池がセットされても、その表面を発光させて充電状態を表示できるからである。
【図面の簡単な説明】
【００１５】
【図１】本発明の一実施例にかかる充電器の正面図である。
【図２】図１に示す充電器のＩＩ−ＩＩ線断面図である。
【図３】図１に示す充電器のＩＩＩ−ＩＩＩ線断面図であって、単３電池を装着した状態を示す断面図である。
【図４】図１に示す充電器のＩＶ−ＩＶ線断面図であって、単４電池を装着した状態を示す断面図である。
【図５】図１に示す充電器の透明カバーを開いた状態を示す斜視図である
【図６】図５に示す充電器から円筒形電池を外した状態を示す斜視図である。
【図７】図６に示す充電器を下側から見た斜視図であって、透明カバーを取り外した状態を示す分解斜視図である。
【図８】本発明の一実施例にかかる充電器の充電回路と表示器を示すブロック図である。
【図９】図５に示す充電器の内部構造を示す斜視図である。
【図１０】図６に示す充電器のケースに変色交換フィルターを連結する状態を示す拡大斜視図である。
【図１１】図１０に示す変色交換フィルターを充電器のケースに連結した構造を示す拡大斜視図である。
【発明を実施するための形態】
【００１６】
以下、本発明の実施例を図面に基づいて説明する。ただし、以下に示す実施例は、本発明の技術思想を具体化するための充電器を例示するものであって、本発明は充電器を以下のものに特定しない。
【００１７】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１８】
図１ないし図７に示す充電器は、充電できる複数の円筒形電池３を平行に並べて脱着できるようにセットする電池ポケット２を表面に露出して設けてなるケース１と、このケース１に内蔵されて、電池ポケット２にセットされる電池を充電する充電回路（図示せず）と、電池ポケット２にセットしている電池の充電状態を検出して、電池の充電状態を光の発光状態で表示する充電状態の表示器４とを備える。
【００１９】
図１ないし図５の充電器は、円筒形電池３を単３電池３Ａと単４電池３Ｂとして、単３電池３Ａと単４電池３Ｂの両方を電池ポケット２にセットして充電する。ただ、本発明の充電器は、円筒形電池を単３電池と単４電池に特定しない。円筒形電池は、単３電池のみとし、あるいは単４電池のみとし、あるいは単３電池や単４電池でない全ての円筒形の電池とすることもできる。
【００２０】
ケース１は、プラスチック製で、下ケース１Ｂと上ケース１Ａをプラスチックで別々に成形して製作している。下ケース１Ｂの開口部を閉塞するように上ケース１Ａが連結されて、内部に充電回路（図示せず）を内蔵している。ケース１は、上ケース１Ａに凹部を設けて電池ポケット２としている。
【００２１】
ケース１は、充電できる円筒形電池３を脱着できるようにセットする電池ポケット２を上ケース１Ａに設けている。図６と図７に示すケース１は、図において上ケース１Ａの下部に凹部を設けて電池ポケット２とし、電池ポケット２の上方の内側には、充電回路の電子部品を収納するスペースを設けている。図５ないし図７のケース１は、４本の円筒形電池３を平行に並べてセットできる電池ポケット２を設けている。
【００２２】
さらに、図のケース１は、電池ポケット２の開口部を閉塞する透明カバー５を設けている。透明カバー５は、電池ポケット２の開口部を開閉できるようにケース１に連結している。図のケース１は、透明カバー５を開閉できるように連結する一対のスリット２７を、下端部の外側に設けている。スリット２７は、内面に突出する連結凸部２８を設けている。連結凸部２７は、透明カバー５を回転できるようにケース１に連結する。図７の透明カバー４は、電池ポケット２を開閉できるように、その後端部の両側部に、内側に突出する一対の連結アーム５１を一体的に成形して設けている。連結アーム５１は、対向する内側に、ケース１のスリット２７に設けた連結凸部２８を案内する連結凹部５２を設けている。この透明カバー５は、連結アーム５１をケース１のスリット２７に挿入し、連結凸部２８を連結凹部５２に案内してケース１に連結される。この透明カバー５は、連結凹部５２を中心として傾動できるようにケース１に連結されて、ケース１の電池ポケット２を開閉する。
【００２３】
透明カバー５は、図７に示すように、ケース１に脱着自在に連結している。図の透明カバー５は、連結アーム５１をケース１のスリット２７に挿入し、連結凸部２８を連結凹部５２に案内してケース１に装着され、また、連結アーム５１の連結凹部５２を連結凸部２８から外してケース１から取り外される。このように、ケース１に脱着自在に連結される透明カバー５は、ユーザーの好みや使用状態に応じて、種々に交換できる特徴がある。
【００２４】
透明カバー５のあるケース１は、表示器４の光源６で透明カバー５の内面を照射して、電池の充電状態をより明確に表示できる。また、透明カバー５で電池ポケット２を閉塞して、円筒形電池３を外れない状態で充電できる。ただ、本発明の充電器は、必ずしも電池ポケットに透明カバーを設ける必要はなく、電池ポケットを開口する状態で電池を充電することができる。透明カバーのない充電器は、充電している円筒形電池を効率よく放熱しながら充電できる。
【００２５】
電池ポケット２は、図６と図７に示すように、４本の円筒形電池３を平行に並べてセットできるように、４列の装着部２０を設けている。電池ポケット２は、両側の側壁２１と３列の隔壁２２を平行に設けて、４列の装着部２０を設けている。両側２列の装着部２０は、側壁２１と隔壁２２との間に設けられ、中間２列の装着部２０は、３列の隔壁２２の間に設けられる。各々の装着部２０は、円筒形電池３である単３電池３Ａと単４電池３Ｂの両方をセットできる形状としている。単３電池３Ａは単４電池３Ｂよりも太くて長いので、装着部２０は、一方の端部、図にあっては、円筒形電池３のマイナス側の端部に、単４電池３Ｂを内部に挿入して、単３電池３Ａを載せる段差部２３を設けている。細くて短い単４電池３Ｂは、段差部２３の内側である下段に、太くて長い単３電池３Ａは、段差部２３の外側である上段にセットされる。
【００２６】
ケース１は、電池ポケット２の装着部２０の両端部に、円筒形電池３の正負の端部電極に接触する出力端子１１、１２を配置している。プラス側の端部には、単３電池３Ａと単４電池３Ｂの両方のプラス電極に接触する共通の出力端子１１を配置している。マイナス側の端部には、単３電池３Ａのマイナス電極に接触する出力端子１２Ａと、単４電池３Ｂのマイナス電極に接触する出力端子１２Ｂとを別々に配置している。単３電池３Ａのマイナス電極に接触する出力端子１２Ａは段差部２３の上段に配置され、単４電池３Ｂのマイナス電極に接触する出力端子１２Ｂは、段差部２３の下段に配置している。装着部２０にセットされる単３電池３Ａは、共通の出力端子１１にプラス電極を接触し、段差部２３の上段に配置している出力端子１２Ａにマイナス電極を接触する。単４電池３Ｂは、プラス電極を共通の出力端子１１に、マイナス電極を段差部２３の下段に配置している出力端子１２Ｂに接触させる。単３電池３Ａと単４電池３Ｂは、共通の出力端子１１にプラス電極を、段差部２３に設けている出力端子１２にマイナス電極を接触して充電される。
【００２７】
充電回路は、正負の出力端子１１、１２を介して円筒形電池３の単３電池３Ａと単４電池３Ｂを充電する。充電回路は、円筒形電池３を満充電するまで充電し、満充電を検出して充電を停止する。充電回路は、円筒形電池３の種類に最適な電流と電圧で充電する。単３電池３Ａと単４電池３Ｂを充電する充電回路のブロック図を図８に示している。この充電回路１０は、単３電池３Ａの充電回路１０Ａと、単４電池３Ｂの充電回路１０Ｂを備えている。単３電池３Ａと単４電池３Ｂは、ニッケル水素電池又はニッケルカドミウム電池等のアルカリ電池である。これ等のアルカリ電池は、定電流充電して満充電される。充電回路１０は、充電している電池のピーク電圧を検出し、あるいはピーク電圧からΔＶ低下したことを検出して満充電と判定する。単３電池３Ａと単４電池３Ｂは、最適な充電電流が異なるので、充電回路１０は充電電流を最適な電流に制御して、単３電池３Ａと単４電池３Ｂを充電する。
【００２８】
表示器４は、電池ポケット２の端部に配置されて、隣接して平行にセットされる円筒形電池３の間から、円筒形電池３の表面に長手方向に向かって光を照射する光源６を備える。図１、図２、図５、及び図６の電池ポケット２は、円筒形電池３を上下に伸びる姿勢に配置して、下端部に上向きに光を照射する光源６を設けている。光源６は、図１に示すように、円筒形電池３に下から上に光を照射して、隣接する円筒形電池３の表面を光らせて、電池ポケット２にセットしている円筒形電池３の充電状態を表示する。光源６は発光ダイオード６Ｘで、ケース１の内部に固定している光源ホルダ１４を介して定位置に配置される。光源ホルダ１４はプラスチック製で、ケース１内に固定している回路基板１３に固定されて、発光ダイオード６Ｘの光源６を定位置に配置している。図９の光源ホルダ１４は、発光ダイオード６Ｘの発光部６Ａを挿入して定位置に配置する嵌着凹部１４Ａを先端に設けている。発光ダイオード６Ｘは、リード線６ＢをＬ字状に折曲して、その先端を回路基板１３に挿通して、ハンダ付けなどの方法で固定している。発光ダイオード６Ｘは、リード線６ＢをＬ字状に折曲して、発光部６Ａから円筒形電池３の長手方向に光を照射している。発光ダイオード６Ｘの光源６は、円筒形電池３の表面に光を照射するように、段差部２３に設けた金属板である出力端子１２Ａの間に配置している。ケース１は、発光ダイオード６Ｘの光を電池ポケット２に透過させる光透過部２４を設けている。光透過部２４はケース１に設けた貫通孔、あるいは光を透過させる透明部である。出力端子１２Ａは金属板なので光を透過させない。したがって、電池ポケット２に光を照射できるように、光透過部２４は出力端子１２Ａの間に設けられる。図５と図６のケース１は、両側に２列に配置される円筒形電池３の間に光透過部２４を設けて、その内部に光源６の発光ダイオード６Ｘを配置している。光透過部２４は、単３電池３Ａのマイナス電極に接触される出力端子１２Ａの間に設けられて、単３電池３Ａと単４電池３Ｂの谷間に光を照射する。
【００２９】
図５、図６、図１０、及び図１１の表示器４は、電池ポケット２の内面に脱着できるようにセットされる変色交換フィルター７を備えている。変色交換フィルター７は、着色された透光性のプレートである。変色交換フィルター７を透過した光は、光源６の発光色と異なる色の光となって、円筒形電池３の表面を照射する。表示器４は、異なる色に着色している複数の変色交換フィルター７を備えており、変色交換フィルター７を交換することで、円筒形電池３の表面を、異なる色の光で照射できるようにしている。変色交換フィルター７は、たとえば赤色と、緑色と、青色に着色された３枚の透光性のプレートである。赤色に着色された変色交換フィルター７は、光源６の光を赤色の光として円筒形電池３の表面を照射し、緑色に着色された変色交換フィルター７は、光源６の光を緑色の光として円筒形電池３の表面を照射し、さらに青色に着色された変色交換フィルター７は、光源６の光を青色の光として円筒形電池３の表面を照射する。複数の変色交換フィルター７は、ユーザーに交換されて、円筒形電池３の表面を光源６と異なる色の光で照射する。
【００３０】
変色交換フィルター７を照射する光源６は、白色の発光ダイオード６Ｘである。白色の発光ダイオード６Ｘは、変色交換フィルター７の色成分を含む光に発光する。この光源６の光が変色交換フィルター７に透過されると、変色交換フィルター７の色に変更されて、円筒形電池３の表面を照射する。
【００３１】
変色交換フィルター７は、光透過部２４をカバーするように電池ポケット２の内面に交換できるようにセットされて、光透過部２４を透過する光源６の光を変色して円筒形電池３の表面を照射する。図１０の変色交換フィルター７は、透光性のプラスチック板を櫛形として、連結プレート７１に複数の分岐プレート７２を連結する形状としている。分岐プレート７２は、出力端子１２Ａの間に挿入されるように配置される。光透過部２４から電池ポケット２に照射される光は、変色交換フィルター７を透過して、円筒形電池３の表面を照射する。変色交換フィルター７は、透光性のプラスチックに顔料や染料の着色微粉末を添加して赤色、緑色、青色に着色している。この変色交換フィルター７は、添加している着色微粉末の表面で光を反射して、透過する光を散乱させる。変色交換フィルター７の内部で散乱される光は、変色交換フィルター７を広い領域で発光させて、円筒形電池３を分散された光で発光させる。したがって、変色交換フィルター７に光源６の光を透過させて、円筒形電池３の表面を照射する表示器４は、円筒形電池３の表面を斑なく均一に発光させて、電池の充電状態をより明確に表示する。
【００３２】
電池ポケット２は、その内面に、変色交換フィルター７を脱着できるようにセットできる脱着凹部２５を設けている。脱着凹部２５は、変色交換フィルター７の分岐プレート７２を両側で挟着するように嵌着するガイド溝２５Ａを、単３電池３Ａの出力端子１２Ａの間に互いに対向して設けている。変色交換フィルター７は、対向するガイド溝２５Ａに分岐プレート７２の両側部を案内する状態で挿入して、電池ポケット２の内面の定位置に外れないようにセットされる。図１０の変色交換フィルター７は、脱着凹部２５に挿入した分岐プレート７２が簡単に抜けるのを防止するために、両側の分岐プレート７２の先端部に、外側に突出する節度凸部７４を設けている。脱着凹部２５は、これらの節度凸部７４と対向するガイド溝２５Ａの底部に、節度凸部７４を係止する係止凹部（図示せず）を設けている。この変色交換フィルター７は、脱着凹部２５に挿入される分岐プレート７２の節度凸部７４がガイド溝２５Ａの係止凹部に係止されて、節度のある状態で脱着凹部２５に連結されて簡単に抜けるのが防止される。さらに、図１０と図１１の変色交換フィルター７は、電池ポケット２に設けた脱着凹部２５に簡単に脱着できるように、連結プレート７１にツマミ部７３を設けている。図のツマミ部７３は連結プレート７１に設けたスリット状の貫通孔である。この変色交換フィルター７は、ユーザーがツマミ部７３に爪を引っかける状態で引っ張って、脱着凹部２５から簡単に外すことができる。変色交換フィルターは、連結プレートの表面に凹部や突出部を設けてツマミ部とすることもできる。さらに、図１１のケース１は、連結プレート７１の中央部と対向する位置に、ユーザーが連結プレート７１を掴んで簡単に脱着できる掴み凹部２６を設けている。この構造は、ユーザーが掴み凹部２６に指先を入れて連結プレート７１を掴んで、簡単に脱着凹部２５に脱着できる特徴がある。
【００３３】
表示器４は、図８に示すように、光源６の点滅を制御するコントロール回路１５を備えている。コントロール回路１５は、電池ポケット２に円筒形電池３がセットされるとカウントを開始するタイマ１６を備えており、このタイマ１６で光源６の発光強度をノーマル状態と、このノーマル状態よりも発光強度を低くする低照度状態とに切り換える。この表示器４のコントロール回路１５は、電池ポケット２に円筒形電池３がセットされると、タイマ１６がタイムアップするまでは、光源６をノーマル状態に発光し、タイマ１６がタイムアップした後は、光源６を低照度状態に切り換える。さらに、コントロール回路１５は、円筒形電池３の充電状態を検出して、光源６の点灯状態をコントロールする。このコントロール回路１５は、たとえば、円筒形電池３を充電する状態で光源６を点灯し、円筒形電池３が満充電されると光源６を消灯して満充電を表示する。また、コントロール回路１５は、円筒形電池３を充電している状態で、光源６を連続して点灯し、満充電された後は光源６を点滅して、満充電を表示することができる。さらに、コントロール回路１５は、円筒形電池３を充電している状態で、光源６を点滅し、満充電された後は、光源６を連続して点灯して満充電を表示することもできる。
【００３４】
複数の円筒形電池３がセットされる充電器は、各々の円筒形電池３の満充電を独立して検出し、満充電された円筒形電池３の充電を停止するように制御して、全ての円筒形電池３を理想的な状態で充電できる。とくに、残容量が異なる複数の円筒形電池３がセットされる状態においても、いずれの電池も過充電することなく満充電できる。この充電器は、全ての円筒形電池３が同時に満充電されない。図１と図４の表示器４は、１個の光源６を２列の円筒形電池３の間に配置して、ひとつの光源６で２個の円筒形電池３の表面を照射する。この充電器は、２個の光源６で、両側に２列に配置している円筒形電池３の充電状態を表示するので、２個の光源６で、両側２列の円筒形電池３の充電状態を独立して別々に表示できる。たとえば、両側に配置してる２列の円筒形電池３の両方が満充電されると、光源６を点滅し、あるいは連続的に点灯して満充電されたことを表示することができる。
【符号の説明】
【００３５】
１…ケース                １Ａ…上ケース
１Ｂ…下ケース
２…電池ポケット
３…円筒形電池            ３Ａ…単３電池
３Ｂ…単４電池
４…表示器
５…透明カバー
６…光源                  ６Ｘ…発光ダイオード
６Ａ…発光部
６Ｂ…リード線
７…変色交換フィルター
１０…充電回路            １０Ａ…充電回路
１０Ｂ…充電回路
１１…出力端子
１２…出力端子            １２Ａ…出力端子
１２Ｂ…出力端子
１３…回路基板
１４…光源ホルダ          １４Ａ…嵌着凹部
１５…コントロール回路
１６…タイマ
２０…装着部
２１…側壁
２２…隔壁
２３…段差部
２４…光透過部
２５…脱着凹部            ２５Ａ…ガイド溝
２６…掴み凹部
２７…スリット
２８…連結凸部
５１…連結アーム
５２…連結凹部
７１…連結プレート
７２…分岐プレート
７３…ツマミ部
７４…節度凸部
【図１】
2011036052.tif 000003
【図２】
2011036052.tif 000004
【図３】
2011036052.tif 000005
【図４】
2011036052.tif 000006
【図５】
2011036052.tif 000007
【図６】
2011036052.tif 000008
【図７】
2011036052.tif 000009
【図８】
2011036052.tif 000010
【図９】
2011036052.tif 000011
【図１０】
2011036052.tif 000012
【図１１】
2011036052.tif 000013